(57)【要約】【課題】フチなし印字が可能なインクジェット記録装置において、プラテン部分に設けられたインク吸収材に堆積したインクに空気中の黴菌が付着しても、黴が発生してその黴がノズルに付着して印字乱れが生じたり、ノズルの目詰りが起きないようにするために、抗菌抗黴効果に優れ、しかも安全性が高い抗菌抗黴性のインク吸収材を有するインクジェット記録組装置を提供すること、および前記インク吸収材に吸収させる液体組成物を提供すること。【解決手段】少なくとも、グリセリンと、ホソバヤマジソ油、タイム油、レモングラス油などから選ばれた１種以上の物質とを含む液体組成物を、インクジェット記録装置のインク吸収材に吸収させる。【選択図】なし【特許請求の範囲】
【請求項１】
フチなし印字が可能なインクジェット記録装置であって、そのプラテン部分にフチなし印字を行なう際に記録メディアの外部にこぼれ落ちたインクを吸収するインク吸収材が配置されており、前記インク吸収材には、少なくとも、グリセリンと、ホソバヤマジソ油、タイム油、レモングラス油、クローブ油、ティトゥリー油、ユーカリ油、ラベンダー油、ヒバ油、チモール、ヒノキチオール、β−トラブリン、オイゲノール、イソオイゲノール、シトラール、シトロネラール、シンナムアルデヒド、３−メチル−４−イソプロピルフェノール、アリルイソチオシアネート、カピリン、マグノール、α−ツヤブリシン、β−ツヤブリシン、４−アセチルトロポロン、フィリリン、およびε−ポリリジンから選ばれた１種以上の物質とを含む液体組成物が吸収されていることを特徴とするインクジェット記録装置。
【請求項２】
前記インク吸収材に吸収させる液体組成物であって、少なくとも、グリセリンと、ホソバヤマジソ油、タイム油、レモングラス油、クローブ油、ティトゥリー油、ユーカリ油、ラベンダー油、ヒバ油、チモール、ヒノキチオール、β−トラブリン、オイゲノール、イソオイゲノール、シトラール、シトロネラール、シンナムアルデヒド、３−メチル−４−イソプロピルフェノール、アリルイソチオシアネート、カピリン、マグノール、α−ツヤブリシン、β−ツヤブリシン、４−アセチルトロポロン、フィリリン、およびε−ポリリジンから選ばれた１種以上の物質とを含むことを特徴とする液体組成物。
【請求項３】
前記液体組成物が、インクの液性に応じてアルカリ性化剤または酸性化剤をさらに含むことを特徴とする請求項１に記載のインクジェット記録装置または請求項２に記載の液体組成物。
【請求項４】
前記液体組成物に含まれるホソバヤマジソ油、タイム油、レモングラス油、クローブ油、ティトゥリー油、ユーカリ油、ラベンダー油、ヒバ油、チモール、ヒノキチオール、β−トラブリン、オイゲノール、イソオイゲノール、シトラール、シトロネラール、シンナムアルデヒド、３−メチル−４−イソプロピルフェノール、アリルイソチオシアネート、カピリン、マグノール、α−ツヤブリシン、β−ツヤブリシン、４−アセチルトロポロン、フィリリン、およびε−ポリリジンから選ばれた１種以上の物質が天然物由来であることを特徴とする請求項１に記載のインクジェット記録装置または請求項２に記載の液体組成物。
【請求項５】
前記液体組成物に含まれるグリセリンの濃度が５０重量％以上であることを特徴とする請求項１に記載のインクジェット記録装置または請求項２に記載の液体組成物。
【請求項６】
前記インク吸収材がウレタンフォームであることを特徴とする請求項１に記載のインクジェット記録装置。
【発明の詳細な説明】
【技術分野】
【０００１】
本発明は、インクジェット記録におけるフチなし印字において用いられるインク吸収材を有するインクジェット記録装置、および前記インク吸収材に吸収させる液体組成物に関する。
【背景技術】
【０００２】
近年、インクジェット記録においては、画像の見栄えをよくするためフチなし印字という手法が用いられている。フチなし印字とは、記録メディアの外周部分に非印字部を設けず、記録メディア全面に印字する方法で、記録メディア上のみでなく、その外側にもインクを吐出する。このとき、記録媒体に着弾しなかったインク滴はプリンタのプラテン上に着弾することになるが、このこぼれたインクを吸収するために、プラテン部分にインク吸収材が設けられている。一方、近年インクジェットのノズルから吐出されるインクは微小になってきているため、記録媒体に着弾しなかったインクは霧状に飛散して記録媒体の裏面に付着しやすくなっている。そのため、記録メディアの極近傍にインク吸収材がくるように設計されている。しかし、インク吸収材に吸収されたインクは乾燥し、印刷を重ねることのよってインク中の固形分がインク吸収材上に積み重なり、その積み重なったインクがメディアの裏面を汚すことがある。特に、最近は顔料がインクジェットインクとして用いられるようになり、さらに乾燥しやすくなりインクが積み重なりやすい。そこで、インク吸収材にグリセリンなどの保湿剤を吸収させ、インクの乾燥を抑え、インクの積み重なりを防止することなどが検討されている。
【０００３】
しかし、単にインク吸収材にグリセリンを吸収させたのみでは、空気中の黴の胞子や雑菌により黴が発生したり腐敗したりするという課題がある。また、そのような黴や腐敗を防止するために、一般的には防黴剤としてはデヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オンおよびその塩等（特許文献１）（特許文献２）やベンズイソチアゾロン、アルキルイソチアゾロン、チアベンダドール、ベンズイミダゾール、サイアベンダゾール、ソルビン酸及びその塩等の合成保存料等の毒性の強いものが使用されている。インクジェット記録装置のインク吸収材部分は人が故意に接種するものではないが、皮膚への接触や誤用による人体への接触等を考慮すると安全性の高いものが求められている。近年消費者の間でも合成保存料の安全性に関する認識が高まり、これによりこれらの合成保存料を使用せずに、酢酸ナトリウム等の有機酸塩やエタノール、グリシン、ポリリジン、プロタミン、リゾチーム、キトサン、ペクチン分解物、孟宗竹抽出物等の保存剤が例えば食品、化粧品などに多く用いられている。しかしながら、これらの天然系の保存剤は抗菌性が弱く、より保存性を向上させるために種々を併用する等の工夫がなされて、細菌類に対しては必要最小限度の抗菌性が付与されているが、細菌類よりも耐性の強いカビ等の真菌類に対する抗菌性は不十分であった。
【０００４】
また、インクジェット記録装置は長期間に渡って使用されるので、製造時の細菌汚染だけでなく、使用環境での細菌による汚染が起こるため、比較的強い防腐効果が必要である。そのため、従来より、安息香酸及びその塩、イソプロピルメチルフェノール、パラオキシ安息香酸エステル類、フェノキシエタノール、ソルビン酸及びその塩、デヒドロ酢酸及びその塩、塩化ベンザルコニウム、塩化アルキルトリメチルアンモニウム、グルコン酸クロルヘキシジン、トリクロサン等の各種の化学合成系の防腐剤や殺菌剤が用いられている。これら化学合成系の防腐剤、殺菌剤は、皮膚刺激、感作性、光感作性あるいは人体に対する毒性を有していることが周知であり、そのため、これらの使用量、使用範囲などにおいて厳しい制限が設けられている。
【０００５】
一方、インクジェット記録方法において四辺フチなし印字が頻繁に用いられるようになってきているが、記録メディアの縁からこぼれたインクをインク吸収剤に吸収させる方式が主流であり、この際、堆積したインクに空気中の黴菌が付着すると黴が発生してその黴がノズルに付着して印字乱れが生じたり、ノズルの目詰まりするという課題がある。
【０００６】
ところで、植物等に含有される精油成分にも抗菌抗黴性を有するものが知られており、このような抗菌抗黴性を有する精油及び精油成分の例としては、ホソバヤマジソ油、タイム油、レモングラス油、クローブ油、ティトゥリー油、ユーカリ油、ラベンダー油、ヒバ油などの混合体からなる物質、チモール、ヒノキチオール、オイゲノール、シトラール、シトロネラール、シンナムアルデヒド、３−メチル−４−イソプロピルフェノール、アリルイソチオシアネートが報告されている（非特許文献１参照）。その他にもホウの木やウドなどから抽出されるマグノール、カワラヨモギなどから抽出されるカピリン、ヒバなどから抽出されるα−およびβ−ツヤブリン、レンギョウなどから抽出されるフィリリンあるいは放線菌などから抽出されるε−ポリリジンなどが知られる。しかし、インクジェット記録装置のインク吸収材に、これらの天然由来成分を抗菌抗黴成分として用いた例はない。
【特許文献１】特開２００２−２２６７５２
【特許文献２】特開２００３−３０５９５４
【非特許文献１】松浦洋一、「日本防菌防黴学会第２８年次大会資料」
【発明の開示】
【発明が解決しようとする課題】
【０００７】
従って、本発明は上記従来技術の欠点を克服するもので、フチなし印字が可能なインクジェット記録装置において、プラテン部分に設けられたインク吸収材に堆積したインクに空気中の黴菌が付着しても、黴が発生してその黴がノズルに付着して印字乱れが生じたり、ノズルの目詰りが起きないようにするために、抗菌抗黴効果に優れ、しかも安全性が高い抗菌抗黴性のインク吸収材を有するインクジェット記録組装置を提供すること、および前記インク吸収材に吸収させる液体組成物を提供することにある。
【課題を解決するための手段】
【０００８】
本発明のインクジェット記録装置は、フチなし印字が可能なインクジェット記録装置であって、そのプラテン部分にフチなし印字を行なう際に記録メディアの外部にこぼれ落ちたインクを吸収するインク吸収材が配置されており、前記インク吸収材には、少なくとも、グリセリンと、ホソバヤマジソ油、タイム油、レモングラス油、クローブ油、ティトゥリー油、ユーカリ油、ラベンダー油、ヒバ油、チモール、ヒノキチオール、β−トラブリン、オイゲノール、イソオイゲノール、シトラール、シトロネラール、シンナムアルデヒド、３−メチル−４−イソプロピルフェノール、アリルイソチオシアネート、カピリン、マグノール、α−ツヤブリシン、β−ツヤブリシン、４−アセチルトロポロン、フィリリン、およびε−ポリリジンから選ばれた１種以上の物質とを含む液体組成物が吸収されていることを特徴とする。
【０００９】
また、本発明の液体組成物は、前記インク吸収材に吸収させる液体組成物であって、少なくとも、グリセリンと、ホソバヤマジソ油、タイム油、レモングラス油、クローブ油、ティトゥリー油、ユーカリ油、ラベンダー油、ヒバ油、チモール、ヒノキチオール、β−トラブリン、オイゲノール、イソオイゲノール、シトラール、シトロネラール、シンナムアルデヒド、３−メチル−４−イソプロピルフェノール、アリルイソチオシアネート、カピリン、マグノール、α−ツヤブリシン、β−ツヤブリシン、４−アセチルトロポロン、フィリリン、およびε−ポリリジンから選ばれた１種以上の物質とを含むことを特徴とする。
【発明の効果】
【００１０】
本発明によれば、インク吸収材に堆積したインクに、空気中の黴菌が付着しても、黴が発生してその黴がノズルに付着して印字乱れが生じたり、ノズルの目詰まりが起きることがない、防菌防黴効果に優れ、しかも安全性が高いインク吸収材を有するインクジェット記録装置、および前記インク吸収剤に吸収させる液体組成物を提供することができる。
【発明を実施するための最良の形態】
【００１１】
本発明は、上記課題を解決するために、種々の天然物成分から選択して強い抗菌抗黴性、特に極めて強い抗黴性を有するものを鋭意検索した結果によるものである。
【００１２】
本発明のインクジェット記録装置は、フチなし印字が可能なインクジェット記録装置であって、そのプラテン部分にフチなし印字を行なう際に記録メディアの外部にこぼれ落ちたインクを吸収するインク吸収材が配置されており、前記インク吸収材には、少なくとも、グリセリンと、ホソバヤマジソ油、タイム油、レモングラス油、クローブ油、ティトゥリー油、ユーカリ油、ラベンダー油、ヒバ油、チモール、ヒノキチオール、β−トラブリン、オイゲノール、イソオイゲノール、シトラール、シトロネラール、シンナムアルデヒド、３−メチル−４−イソプロピルフェノール、アリルイソチオシアネート、カピリン、マグノール、α−ツヤブリシン、β−ツヤブリシン、４−アセチルトロポロン、フィリリン、およびε−ポリリジンから選ばれた１種以上の物質とを含む液体組成物が吸収されていることを特徴とする。
【００１３】
また、本発明の液体組成物は、前記インク吸収材に吸収させる液体組成物であって、少なくとも、グリセリンと、ホソバヤマジソ油、タイム油、レモングラス油、クローブ油、ティトゥリー油、ユーカリ油、ラベンダー油、ヒバ油、チモール、ヒノキチオール、β−トラブリン、オイゲノール、イソオイゲノール、シトラール、シトロネラール、シンナムアルデヒド、３−メチル−４−イソプロピルフェノール、アリルイソチオシアネート、カピリン、マグノール、α−ツヤブリシン、β−ツヤブリシン、４−アセチルトロポロン、フィリリン、およびε−ポリリジンから選ばれた１種以上の物質とを含むことを特徴とする。
【００１４】
本発明のインクジェット記録装置または液体組成物は、前記液体組成物が、インクの液性に応じてアルカリ性化剤または酸性化剤をさらに含むことを特徴とする。
【００１５】
また、本発明のインクジェット記録装置または液体組成物は、前記液体組成物に含まれるホソバヤマジソ油、タイム油、レモングラス油、クローブ油、ティトゥリー油、ユーカリ油、ラベンダー油、ヒバ油、チモール、ヒノキチオール、β−トラブリン、オイゲノール、イソオイゲノール、シトラール、シトロネラール、シンナムアルデヒド、３−メチル−４−イソプロピルフェノール、アリルイソチオシアネート、カピリン、マグノール、α−ツヤブリシン、β−ツヤブリシン、４−アセチルトロポロン、フィリリン、およびε−ポリリジンから選ばれた１種以上の物質が天然物由来であることを特徴とする。
【００１６】
さらに、本発明のインクジェット記録装置または液体組成物は、前記液体組成物に含まれるグリセリンの濃度が５０重量％以上であることを特徴とする。
【００１７】
また、本発明のインクジェット記録装置は、前記インク吸収材ががウレタンフォームであることを特徴とする。
【００１８】
本発明の液体組成物中のホソバヤマジソ油、タイム油、レモングラス油、クローブ油、ティトゥリー油、ユーカリ油、ラベンダー油、ヒバ油、チモール、ヒノキチオール、β−トラブリン、オイゲノール、イソオイゲノール、シトラール、シトロネラール、シンナムアルデヒド、３−メチル−４−イソプロピルフェノール、アリルイソチオシアネート、カピリン、マグノール、α−ツヤブリシン、β−ツヤブリシン、４−アセチルトロポロン、フィリリン、およびε−ポリリジンから選ばれた１種以上の物質の配合量は、抗菌性を付与する液体組成物への添加量等に応じて任意に設定することができ、特に限定されるものではないが、０．１％未満の添加が好ましく、それ以上配合しても効果は変わらず、経済的でない。しかし、この中でも特に、ホソバヤマジソ油、チモール、ヒノキチオール、シトラール、シトロネラール、３−メチル−４−イソプロピルフェノール、α−ツヤブリシン、β−ツヤブリシン、４−アセチルトロポロン、およびカピリンがよい。さらに好ましくはヒノキチオール、およびカピリンであり、添加量は０．０３％以下でよい。
【００１９】
また、本発明の液体組成物は、ホソバヤマジソ油、タイム油、レモングラス油、クローブ油、ティトゥリー油、ユーカリ油、ラベンダー油、ヒバ油などの混合体からなる物質、チモール、ヒノキチオール、オイゲノール、イソオイゲノール、シトラール、シトロネラール、シンナムアルデヒド、３−メチル−４−イソプロピルフェノール、アリルイソチオシアネート、カピリン、マグノール、ツヤブリシン、フィリリン、およびε−ポリリジンから選ばれた１種以上の物質を必須成分とするが、上述の抗菌性を有する物質の他、その使用目的に応じて各種成分を任意に配合することができる。
【００２０】
本発明では天然成分を好ましい形態とする。天然成分であるので液体組成物に人が接触してもアレルギーなどの発生が起こる可能性が極めて低くなる。
【００２１】
以下、実施例により、本発明をより詳細に説明するが、本発明はこれらに限定されるものではなく、本発明の趣旨を逸脱しない限り種々の変更は可能である。尚、以下の実施例中の数値の単位は、特に断りのない限り重量％である。
【実施例１】
【００２２】
（１）防黴性試験１
防腐試験はセイコーエプソン株式会社製ＰＸ−Ｇ９００に使用されているインク吸収材にＰＸ−Ｇ９００のインクを用いて、４辺フチなし画像５００ページのフチなし印字を行なってインクをある程度吸収させた状態での比較を行なった。インク吸収材に吸収される液体組成物１は以下のようになる。
（液体組成物１）
グリセリン                            ８０％
トリエチレングリコール                １９％
トリイソプロパノールアミン              ０．９９５％
ヒノキチオール                          ０．００５％
評価には真菌としてクロカワカビ（Ｃｌａｄｏｓｐｏｒｉｕｍ）およびアオカビ（Ｐｅｎｉｃｉｌｌｕｍ）の混合体の前培養液を用いた。これらの培養液を均一に上記のインク吸収材に塗布し、３０℃５０％の環境に一ヶ月放置することによって発生する黴を目視観察することによって行なった。結果を表１に示す。
表１中Ａは黴がまったく観測されない、Ｂはわずかに観測される、Ｃは多量に観測されることを示す。
【実施例２】
【００２３】
インク吸収材に吸収される液体組成物２を用いて評価した。実施例１に記載のインク組成物１においてヒノキチオールをカピリンに変えた以外は同じ組成で、液体組成物２は以下のようになる。
（液体組成物２）
グリセリン                            ８０％
トリエチレングリコール                １９％
トリイソプロパノールアミン              ０．９９５％
カピリン                                ０．００５％
実施例１と同様にして作成したインク吸収材を用いて、防腐黴材を種々変更したときの防黴試験結果を同じく表１に示す。
【実施例３】
【００２４】
インク吸収材に吸収される液体組成物３を用いて評価した。インク吸収材に吸収される液体組成物３は以下のようになる。
（液体組成物３）
グリセリン                            ９９％
トリイソプロパノールアミン              ０．９９５％
カピリン                                ０．００５％
実施例１と同様にして作成したインク吸収材を用いて、防腐黴材を種々変更したときの防黴試験結果を同じく表１に示す。
【実施例４】
【００２５】
インク吸収材に吸収される液体組成物４を用いて評価した。インク吸収材に吸収される液体組成物４は以下のようになる。
（液体組成物４）
グリセリン                            ９９％
トリエタノールアミン                    ０．９９５％
カピリン                                ０．００５％
実施例１と同様にして作成したインク吸収材を用いて、防腐黴材を種々変更したときの防黴試験結果を同じく表１に示す。
【実施例５】
【００２６】
インク吸収材に吸収される液体組成物５を用いて評価した。インク吸収材に吸収される液体組成物５は以下のようになる。
（液体組成物５）
グリセリン                            ９９％
トリエタノールアミン                    ０．９％
ホソバヤマジソ油                        ０．１％
実施例１と同様にして作成したインク吸収材を用いて、防腐黴材を種々変更したときの防黴試験結果を同じく表１に示す。
【実施例６】
【００２７】
インク吸収材に吸収される液体組成物６を用いて評価した。インク吸収材に吸収される液体組成物６は以下のようになる。
（液体組成物６）
グリセリン                            ９９％
トリエタノールアミン                    ０．９％
タイム油                                ０．１％
実施例１と同様にして作成したインク吸収材を用いて、防腐黴材を種々変更したときの防黴試験結果を同じく表１に示す。
【実施例７】
【００２８】
インク吸収材に吸収される液体組成物７を用いて評価した。インク吸収材に吸収される液体組成物７は以下のようになる。
（液体組成物７）
グリセリン                            ９９％
トリエタノールアミン                    ０．９％
レモングラス油                          ０．１％
実施例１と同様にして作成したインク吸収材を用いて、防腐黴材を種々変更したときの防黴試験結果を同じく表１に示す。
【実施例８】
【００２９】
インク吸収材に吸収される液体組成物８を用いて評価した。インク吸収材に吸収される液体組成物８は以下のようになる。
（液体組成物８）
グリセリン                            ９９％
トリエタノールアミン                    ０．９％
クローブ油                              ０．１％
実施例１と同様にして作成したインク吸収材を用いて、防腐黴材を種々変更したときの防黴試験結果を同じく表１に示す。
【実施例９】
【００３０】
インク吸収材に吸収される液体組成物９を用いて評価した。インク吸収材に吸収される液体組成物９は以下のようになる。
（液体組成物９）
グリセリン                            ９９％
トリエタノールアミン                    ０．９％
ティトゥリー油                          ０．１％
実施例１と同様にして作成したインク吸収材を用いて、防腐黴材を種々変更したときの防黴試験結果を同じく表１に示す。
【実施例１０】
【００３１】
インク吸収材に吸収される液体組成物１０を用いて評価した。インク吸収材に吸収される液体組成物１０は以下のようになる。
（液体組成物１０）
グリセリン                            ９９％
トリエタノールアミン                    ０．９％
ユーカリ油                              ０．１％
実施例１と同様にして作成したインク吸収材を用いて、防腐黴材を種々変更したときの防黴試験結果を同じく表１に示す。
【実施例１１】
【００３２】
インク吸収材に吸収される液体組成物１１を用いて評価した。インク吸収材に吸収される液体組成物１１は以下のようになる。
（液体組成物１１）
グリセリン                            ９９％
トリエタノールアミン                    ０．９％
ラベンダー油                            ０．１％
実施例１と同様にして作成したインク吸収材を用いて、防腐黴材を種々変更したときの防黴試験結果を同じく表１に示す。
【実施例１２】
【００３３】
インク吸収材に吸収される液体組成物１２を用いて評価した。インク吸収材に吸収される液体組成物１２は以下のようになる。
（液体組成物１２）
グリセリン                            ９９％
トリエタノールアミン                    ０．９％
ヒバ油                                  ０．１％
実施例１と同様にして作成したインク吸収材を用いて、防腐黴材を種々変更したときの防黴試験結果を同じく表１に示す。
【実施例１３】
【００３４】
インク吸収材に吸収される液体組成物１３を用いて評価した。インク吸収材に吸収される液体組成物１３は以下のようになる。
（液体組成物１３）
グリセリン                            ９９％
トリエタノールアミン                    ０．９％
チモール                                ０．１％
実施例１と同様にして作成したインク吸収材を用いて、防腐黴材を種々変更したときの防黴試験結果を同じく表１に示す。
【実施例１４】
【００３５】
インク吸収材に吸収される液体組成物１４を用いて評価した。インク吸収材に吸収される液体組成物１４は以下のようになる。
（液体組成物１４）
グリセリン                            ９９％
トリエタノールアミン                    ０．９％
オイゲノール                            ０．１％
実施例１と同様にして作成したインク吸収材を用いて、防腐黴材を種々変更したときの防黴試験結果を同じく表１に示す。
【実施例１５】
【００３６】
インク吸収材に吸収される液体組成物１５を用いて評価した。インク吸収材に吸収される液体組成物１５は以下のようになる。
（液体組成物１５）
グリセリン                            ９９％
トリエタノールアミン                    ０．９％
イソオイゲノール                        ０．１％
実施例１と同様にして作成したインク吸収材を用いて、防腐黴材を種々変更したときの防黴試験結果を同じく表１に示す。
【実施例１６】
【００３７】
インク吸収材に吸収される液体組成物１６を用いて評価した。インク吸収材に吸収される液体組成物１６は以下のようになる。
（液体組成物１６）
グリセリン                            ９９％
トリエタノールアミン                    ０．９％
シトラール                              ０．１％
実施例１と同様にして作成したインク吸収材を用いて、防腐黴材を種々変更したときの防黴試験結果を同じく表１に示す。
【実施例１７】
【００３８】
インク吸収材に吸収される液体組成物１７を用いて評価した。インク吸収材に吸収される液体組成物１７は以下のようになる。
（液体組成物１７）
グリセリン                            ９９％
トリエタノールアミン                    ０．９％
シトロネラール                          ０．１％
実施例１と同様にして作成したインク吸収材を用いて、防腐黴材を種々変更したときの防黴試験結果を同じく表１に示す。
【実施例１８】
【００３９】
インク吸収材に吸収される液体組成物１８を用いて評価した。インク吸収材に吸収される液体組成物１８は以下のようになる。
（液体組成物１８）
グリセリン                            ９９％
トリエタノールアミン                    ０．９％
シンナムアルデヒド                      ０．１％
実施例１と同様にして作成したインク吸収材を用いて、防腐黴材を種々変更したときの防黴試験結果を同じく表１に示す。
【実施例１９】
【００４０】
インク吸収材に吸収される液体組成物１９を用いて評価した。インク吸収材に吸収される液体組成物１９は以下のようになる。
（液体組成物１９）
グリセリン                            ９９％
トリエタノールアミン                    ０．９％
３−メチル−４−イソプロピルフェノール  ０．１％
実施例１と同様にして作成したインク吸収材を用いて、防腐黴材を種々変更したときの防黴試験結果を同じく表１に示す。
【実施例２０】
【００４１】
インク吸収材に吸収される液体組成物２０を用いて評価した。インク吸収材に吸収される液体組成物２０は以下のようになる。
（液体組成物２０）
グリセリン                            ９９％
トリエタノールアミン                    ０．９％
アリルイソチオシアネート                ０．１％
実施例１と同様にして作成したインク吸収材を用いて、防腐黴材を種々変更したときの防黴試験結果を同じく表１に示す。
【実施例２１】
【００４２】
インク吸収材に吸収される液体組成物２１を用いて評価した。インク吸収材に吸収される液体組成物２１は以下のようになる。
（液体組成物２１）
グリセリン                            ９９％
トリエタノールアミン                    ０．９％
マグノール                              ０．１％
実施例１と同様にして作成したインク吸収材を用いて、防腐黴材を種々変更したときの防黴試験結果を同じく表１に示す。
【実施例２２】
【００４３】
インク吸収材に吸収される液体組成物２２を用いて評価した。インク吸収材に吸収される液体組成物２２は以下のようになる。
（液体組成物２２）
グリセリン                            ９９％
トリエタノールアミン                    ０．９％
ツヤブリシン                            ０．１％
実施例１と同様にして作成したインク吸収材を用いて、防腐黴材を種々変更したときの防黴試験結果を同じく表１に示す。
【実施例２３】
【００４４】
インク吸収材に吸収される液体組成物２３を用いて評価した。インク吸収材に吸収される液体組成物２３は以下のようになる。
（液体組成物２３）
グリセリン                            ９９％
トリエタノールアミン                    ０．９％
フィリリン                              ０．１％
実施例１と同様にして作成したインク吸収材を用いて、防腐黴材を種々変更したときの防黴試験結果を同じく表１に示す。
【実施例２４】
【００４５】
インク吸収材に吸収される液体組成物２４を用いて評価した。インク吸収材に吸収される液体組成物２４は以下のようになる。
（液体組成物２４）
グリセリン                            ９９％
トリエタノールアミン                    ０．９％
ε−ポリリジン                          ０．１％
実施例１と同様にして作成したインク吸収材を用いて、防腐黴材を種々変更したときの防黴試験結果を同じく表１に示す。
【００４６】
（比較例１）
実施例１に示す液体組成物１からヒノキチオールを除き代わりにトリイソプロパノールアミンを用いた以外は同じ組成で、防黴試験も同様に行なった。
（液体組成物２５）
グリセリン                            ８０％
トリエチレングリコール                １９％
トリイソプロパノールアミン              １．０％
実施例１と同様にして作成したインク吸収材を用いて、防腐黴材を種々変更したときの防黴試験結果を同じく表１に示す。
【００４７】
（比較例２）
実施例２に示す液体組成物２からカピリンを除き代わりにトリイソプロパノールアミンを用いた以外は同じ組成で、防黴試験も同様に行なった。
（液体組成物２６）
グリセリン                            ８０％
トリエチレングリコール                １９％
トリイソプロパノールアミン              １．０％
実施例１と同様にして作成したインク吸収材を用いて、防腐黴材を種々変更したときの防黴試験結果を同じく表１に示す。
【００４８】
（比較例３）
実施例３に示す液体組成物３からカピリンを除き代わりにトリイソプロパノールアミンを用いた以外は同じ組成で、防黴試験も同様に行なった。
（液体組成物２７）
グリセリン                            ９９％
トリイソプロパノールアミン              １．０％
実施例１と同様にして作成したインク吸収材を用いて、防腐黴材を種々変更したときの防黴試験結果を同じく表１に示す。
【００４９】
（比較例４）
実施例４に示す液体組成物４からカピリンを除き代わりにトリイソプロパノールアミンを用いた以外は同じ組成で、防黴試験も同様に行なった。
（液体組成物２８）
グリセリン                            ９９％
トリエタノールアミン                    １．０％
実施例１と同様にして作成したインク吸収材を用いて、防腐黴材を種々変更したときの防黴試験結果を同じく表１に示す。
【００５０】
【表１】
2005335351.tif 000002